(57)【要約】      （修正有）【課題】より優れた装着の快適さ、ならびに、インナーブーツおよびアウターシェル間の適切な結合を確保するスポーツブーツの提供。【解決手段】１つのアウターシェル２と、アウターシェルの中に挿入されるインナーブーツ３と、を含む１つのスポーツブーツは、アウターシェル内に少なくとも１つの開口部９、１０、１１、２５と、この開口部に対応付けされた、インナーブーツ２上の少なくとも１つの突起物1８、１９、２０、２１、２４と、を含み、開口部および突起物は、インナーブーツ３およびアウターシェル２間の１つの確実な嵌合結合を作り出す役割を果たしている。インナーブーツ３の外面は防水加工されているので、アウターシェル２に複数の開口部が存在するにもかかわらず、インナーブーツ３の内側には水はまったく浸入することはない。【選択図】図４
2005270666.tif 000002
【特許請求の範囲】
【請求項１】
１つのアウターシェルおよび前記アウターシェルの中に挿入することができるインナーブーツを含むスポーツブーツであって、前記アウターシェル（２）が少なくとも１つの開口部（８、９、１０、１１、２５）を含み、前記インナーブーツ（３）が、前記インナーブーツ（３）が前記アウターシェル（２）の中に挿入されるとき、前記開口部（８、９、１０、１１、２５）に対応付けられ、前記開口部（８、９、１０、１１、２５）に確実に係合する少なくとも１つの突起物（１８、１９、２０、２１、２４）を備えていることを特徴とする、スポーツブーツ。
【請求項２】
前記インナーブーツ（３）の前記外面が防水加工されていることを特徴とする、請求項１に記載のスポーツブーツ。
【請求項３】
前記少なくとも１つの突起物および前記少なくとも１つの開口部が、１つのくるぶし部位（９、１９）、１つのかかと部位（８、１８）、１つのすね部位（１０、２０）、前記靴底に近い１つの側面部位（１１、２１）、および、１つのベロ部位（２４、２５）の中から選択された前記スポーツブーツの１つの部位内に配置されていることを特徴とする、請求項１または２に記載のスポーツブーツ。
【請求項４】
前記かかと部分（７）が複数のスロット形状の開口部（１３）によって前記アウターシェル（２）の複数の側面部分（６）から分離されていることを特徴とする、複数の請求項１〜３の１つに記載のスポーツブーツ。
【請求項５】
前記アウターシェル（２）が、１つの前方に延在しているスロット形状の開口部（２３）によって左および右の複数の部分に分割されていることを特徴とする、請求項４に記載のスポーツブーツ。
【請求項６】
前記アウターシェル（２）の１つのつま革（５）が、１つのスロット形状の開口部（１２）によって複数の側面部分（６）から分離されていることを特徴とする、請求項４または５に記載のスポーツブーツ。
【請求項７】
前記上述の少なくとも１つの突起物（１８、１９、２０、２１、２４）が、前記インナーブーツ（３）の前記材料よりさらに硬質である１つの材質からなっていることを特徴とする、複数の請求項１〜６の１つに記載のスポーツブーツ。
【請求項８】
前記上述の少なくとも１つの突起物（１８、１９、２０、２１、２４）が、前記インナーブーツ（３）の前記外面に接着または溶着されていることを特徴とする、複数の請求項１〜７の１つに記載のスポーツブーツ。
【請求項９】
前記アウターシェル（２）が、少なくとも３つの複数の開口部（８、９、１０、１１、２５）を含み、前記インナーブーツ（３）が、前記インナーブーツ（３）が前記アウターシェル（２）の中に挿入されるとき、前記アウターシェル（２）の前記少なくとも３つの複数の開口部に対応付けされ、それら開口部内に確実に係合するようになっている前記インナーブーツ上の少なくとも３つの複数の突起物（１８、１９、２０、２１、２４）を含むことを特徴とする、複数の請求項１〜８の１つに記載のスポーツブーツ。
【発明の詳細な説明】
【技術分野】
【０００１】
本発明は請求項１の前文による１つのスポーツブーツに関する。
【背景技術】
【０００２】
複数の現在のスポーツブーツ、たとえば、複数のスキーブーツ、複数のスノーボードブーツ、複数の登山ブーツ、複数のアイススケートまたは複数のインラインスケートのための複数のブーツなどは、普通、１つのかなり堅固で硬質の樹脂材料製の１つのアウターシェルと、このアウターシェルの中に挿入することができ、１つのかなりやわらかいクッション材料からなる１つのインナーブーツと、で構成されており、インナーブーツは足をアウターシェルに対して固定し、クッション材も足を複数の低温から保護し、複数の圧覚点ができるのを防ぐことによって大いに装着の快適さに貢献している。
【０００３】
この形式の複数のブーツは、たとえば、特許文献１から周知である。この場合、インナーブーツには複数の圧覚点ができやすい複数の部位に複数の気泡封入流体の形で１つのさらなるクッション性が設けられている。
【０００４】
特許文献２には、内側にあまり硬くない１つの合成材料で裏張りされた比較的硬質の合成材料製の１つのインナーブーツが記載されている。比較的硬質の合成材料は、閉ざされた輪郭の少なくとも１つの切り抜き部を有し、その切り抜き部にあまり硬くない合成材料を挿入して優れたクッション性を生じさせることができる。このよりやわらかい樹脂は縫製、溶着、または、成形によって取り付けられている。
【０００５】
特許文献３には、１つの支持材料と、インナーブーツ表面の少なくとも３０パーセントを覆って延在している局部的な複数のくぼみを伴った１つの発泡層と、からなる１つのスキーブーツのための１つのインナーブーツが記載されている。このインナーブーツの目的は、特に重要な複数の部位、たとえば、くるぶし部位または足の甲部位において複数の圧覚点を予防することである。
【０００６】
特許文献４には、１つのインナーブーツ上に配置された複数の補正部品付きの１つのインナーブーツが記載されており、その複数の補正部品はインナーブーツの厚さを変更する役目を担っている。この補正部品は、部分的に切り抜かれおよび／または開放された、実質的には１つの弾力性のない材料からなっており、１つの外側に弾力性のある裏張りがされた補助具を伴って実現されている。
【０００７】
特許文献５には、複数のマジックテープの補助具付きの複数のクッション部材をさらに適用することによってクッション性を持たせることができる複数のスポーツブーツのための１つのインナーブーツが記載されている。
【特許文献１】ＥＰ０６７２３６３Ａ１
【特許文献２】ＥＰ０３７０９４８Ｂ１
【特許文献３】ＥＰ０３５１３９６Ａ２
【特許文献４】ＥＰ０６５７１１６Ａ１
【特許文献５】ＣＨ６２６７９３Ａ５
【発明の開示】
【発明が解決しようとする課題】
【０００８】
前述のスポーツブーツの目的は、単に複数の圧覚点を保護することだけから構成されているに過ぎない。しかしながら、別の問題としては、アウターシェルに対してインナーブーツを固定するということがある。たとえば、インナーブーツを、したがって、足をアウターシェルに対して固定するために使用される、歯状突起のある複数の部材、複数の締めひも、または、他の従来からある複数の部材によって、かなり強い複数の締め付け力でアウターシェルが閉じられる場合、足はかなり締め付けられることになる。この締め付けによって、履き心地が悪くなるだけでなく足の血流も悪くなる。この締め付けは、早すぎる筋肉疲労、複数の冬期スポーツ活動中の足の早すぎる凍え、および、アドレナリン生成およびストレスの複数の症状の増大にさえつながる。他方、アウターシェルが比較的ほとんど力を入れずにただ「ゆるく」閉じられていると、インナーブーツはアウターシェルに対して移動する可能性がある。この移動は、足がブーツ内で十分に支持されておらず、力を足から器具、たとえば、複数のスキーまたはスノーボードに正確に伝達させることができないので、大部分の複数のスポーツ活動、たとえば、スキー、スノーボードなどにとっては望ましくない。
【課題を解決するための手段】
【０００９】
本発明は、より優れた装着の快適さ、ならびに、インナーブーツおよびアウターシェル間の適切な結合を確保するような１つの方法で冒頭で説明した形式の１つのスポーツブーツを改善するという目的に基づいている。この目的は請求項１に記載された複数の特徴によって実現されている。本発明の有利な複数の好ましい実施形態およびさらなる複数の構築は複数の従属項に開示されている。
【００１０】
本発明は基本的には１つの確実な嵌合結合によるインナーブーツとアウターシェルとの結合を提案している。この提案によれば、たとえアウターシェルが単にかなりゆったりと閉じられていても、インナーブーツはアウターシェルに対して移動しないように防止される。この結合は、アウターシェル内の複数の開口部と、その複数の開口部に確実に係合するインナーブーツ上の複数の突起物と、によって創出され、結果としてこの確実な嵌合結合はインナーブーツおよびアウターシェル間の優れた結合をもたらすことになる。これらの複数の開口部および複数の突起部が、特に複数の圧覚点ができやすい複数の部位、たとえば、くるぶし部位、かかと部位、すね、インナーブーツの足側またはベロに配置されている場合、結果的にはこれらの複数の部位に複数の圧覚点ができる恐れがあったが、これら複数のどんな硬い部分にもアウターシェルは含まれていないので、優れた装着の快適さを達成することができる。
【００１１】
ブーツを湿気の多い環境、たとえば、１つのスキーブーツ、スノーボードブーツ、または、類似の複数の冬期スポーツ活動のための１つのブーツとして使用するとき、本発明の１つの有用な好ましい実施形態は、インナーブーツの外側を防水加工することを提案しているので、別な風に耐水性があるアウターシェルに複数の開口部があるにもかかわらず外部の湿気がインナーブーツに浸入する可能性はない。
【００１２】
本発明の１つのさらなる構築によれば、アウターシェルの中へインナーブーツを簡単に挿入するために、アウターシェルに複数のスロットをもうけて、アウターシェルの複数の側面部分を外側に向かって旋回または湾曲できるようにしてある。そのような複数のスロットは、足先部分の部位に縦方向のブーツ軸を横切って配置され、および／または、ブーツすね部からかかと部位の靴底へ実質的に連続して延在することが望ましい。第一に、高い安定性を確保するために、１つのかなり硬質のつま革が形成されている。もちろん、ブーツを閉じるとアウターシェルによって適切な支持が確実に与えられるようにするために、複数の締め付けおよび保持の部材が設けられている。これら複数の締め付けおよび保持の部材は、複数のスロットと重なり、したがって、お互いに対して移動可能なアウターシェルの複数の部分を固定する。この固定は、従来の複数の締めひも、複数の引っ張りベルト、歯状突起のある複数の部材、複数の引っ張りレバー、複数の巻き上げ器具付き複数の引っ張りワイヤー、または、他の従来からあるこの種の複数の機構を用いて実現可能である。
【００１３】
本発明は、締め付け機構にかかわらずあらゆる種類のスポーツブーツ、たとえば、複数の編上げブーツ、複数のバックルブーツ、または、かかと部分が後方に回転してブーツを開くことができるいわゆる「リアエントリーブーツ」に対してさえも適している。
【発明を実施するための最良の形態】
【００１４】
複数の図面に関連して、本発明の複数の好ましい実施形態を以下に非常に詳細に説明する。
【００１５】
本明細書の本冒頭部分は、図１〜３に言及する。スポーツブーツ全体は、参照番号１で示されており、かなり硬質の合成材料製の１つのアウターシェル２と、比較的硬くないクッション材で構成された、アウターシェルの中に挿入することができる、１つのインナーブーツ３と、からなっている。アウターシェル２は、アウターシェルと一体成形も実現可能と思われる１つの靴底４に結合されている。
【００１６】
複数の図１および２に示されている好ましい実施形態において、アウターシェルは、１つのつま革５、２つの複数の側面部分６、および、１つのかかと部分７で構成されている。かかと部分は、１つの閉じた周縁輪郭をともなう１つの開口部８を含む。同様に、複数の側面部分６は複数の開口部９、１０、および、１１を含み、これら開口部もまた１つの閉じた周縁輪郭を有する。開口部９はくるぶし部位に配置されている。開口部１０はブーツすねの上部部位に配置されており、開口部１１は複数の側面部分の靴底近くのつま先部分の後ろのほぼ中央足部位に配置されている。
【００１７】
２つの複数の側面部分６は１つのスロット状の開口部１２によってつま革５から分離されている。２つの複数の側面部分はまたブーツの複数の両側の複数のスロット状開口部１３によってかかと部分７からも分離されている。特に図４は複数の両側部分が１つの開口部２３によって分離されていることを示している。この分離によって、複数の両側面部分６を靴底４に対して外側方向に少し旋回させることが可能になり、複数の側面部分６と靴底４との間の結合部は実質上１つの蝶番１４としての役割を果たしている。
【００１８】
図３に示されているインナーブーツは、弾力のあるクッション性材料からなり、しかもクッション性材料からなる１つのベロ１６が付いた１つのインナーブーツ支持体１５を含む。インナーブーツの外面は防水加工されている。この防水加工は、インナーブーツに１つの防水剤の１つのさらなる塗布を施すことによって、または、外面の材料をそれ相応に実現することによって、達成することができる。いくつかの複数の突起物１８、１９、２０、および、２１は、インナーブーツの外側に配置されており、それら複数の突起部は、アウターシェルの複数の開口部９、１０、１１、１２の輪郭を有し、対応付けされている。インナーブーツ３がアウターシェル２の中に挿入されると、これら複数の突起物はアウターシェルの前述の複数の開口部内に確実に係合する。言い換えると、突起物１８は開口部８内に係合し、突起物１９は開口部９内に係合し、突起物２０は開口部１０内に係合し、また、突起物２１は開口部１１内に係合する。ベロ１６もまた複数の側面部分６の前面の１つの開口部２５内に係合することができる１つの突起物２４を備えることもできる。
この突起物は特にはっきりと図４に示されている。複数の突起物１８、２１、および２４は、インナーブーツの材料より１つのより硬質の材料で構成されているので、インナーブーツは適切に相当頑固にアウターシェル内に固定される。複数の突起物の取り付けは、従来の複数の方法、たとえば、接着、縫製、または、溶着により達成することができる。この点、必要な防水加工処理の見地から、接着および溶着が望ましい。
【００１９】
図１に示されている好ましい実施形態において、ブーツは従来の複数のひも２２によって閉じられており、複数のひもは従来どおり（示されていない）複数の鳩目、複数の輪、または、複数の偏向部材を通して延在している。複数のひもが複数のスロット形状の開口部１３および２３を覆って、アウターシェル２の複数の側面部分６およびかかと部分７をお互いに対して固定することができるように、複数のひもを構成する必要がある。図１によれば、複数のひもはブーツすねの上部部位でかかと部分７の周りに延在している。
【００２０】
インナーブーツ３は、従来の複数のひもを備えてもよく、または、インナーブーツ３は、インナーブーツをマジックテープで閉じることができるように実現されてもよい。この場合、アウターシェルなしで、たとえば、より快適に歩くために、または１つの車を運転するために、インナーブーツを使用することもできる。インナーブーツ３をアウターシェル２の中に挿入するとき、２つの複数の側面部分６および、適用可能な場合、かかと部分７は、それぞれ外方向に曲げられ、または、回転される。そのとき、対応付けられている複数の開口部内にすべての複数の突起物が係合されるまで、インナーブーツ３は挿入される。その次に、ブーツは、たとえば、複数のひも２２をしっかり締めることによって閉じられる。
【００２１】
図４は１つのスポーツブーツの１つの変形物を示しており、２つの複数の側面部分６は１つの狭いスロット形状の開口部２３によってお互いから分離されており、複数の両側面部分６は、１つの閉じた周縁輪郭を有しておらず、インナーブーツ３のベロ１６上に配置された１つの突起物２４との確実な嵌合結合を受けたり創出したりする役割を担っている１つの開口部２５を含む。このブーツは、１つのバックル２７と協働してすね部位でブーツを取り巻く１つの歯状突起のあるストラップ２６の補助具を用いて閉じられている。他の複数の点については、この好ましい実施形態は、図１〜３に関連して上に述べた好ましい実施形態に対応している。
【００２２】
結論として、やはり注目すべき点としては、複数の図に示されたすべての複数の突起物および複数の開口部を使用する必要はないということ、しかも、本発明は、使用する意図しだいで、１つの突起物および１つの開口部、たとえば、突起物１８およびかかと部位の開口部８だけでも機能するということである。この方法によって、もうすでにかかとはかなり適切に固定されるはずである。
【図面の簡単な説明】
【００２３】
【図１】本発明による１つのスポーツブーツの１つの第１の好ましい実施形態の１つの側面図である。
【図２】図１によるスポーツブーツのアウターシェルの１つの側面図である。
【図３】図１によるスポーツブーツのインナーブーツの１つの側面図である。
【図４】本発明による１つのスポーツブーツの１つの第２の好ましい実施形態の斜め前から見た斜視図である。
【図１】
2005270666.tif 000003
【図２】
2005270666.tif 000004
【図３】
2005270666.tif 000005
【図４】
2005270666.tif 000006
【外国語明細書】
2005270666.tif 000007
2005270666.tif 000008
2005270666.tif 000009
2005270666.tif 000010
2005270666.tif 000011
2005270666.tif 000012
2005270666.tif 000013
2005270666.tif 000014
2005270666.tif 000015
2005270666.tif 000016
2005270666.tif 000017
2005270666.tif 000018